(57)【要約】【課題】取付ねじを用いず、油受け自体を大きな労力を要することなく簡単に着脱できるレンジフードを提供することを目的とする。【解決手段】吸込口１の周辺部に一端側を支持したガード線４を逆円錐状に配設し、他端側にハブ９を設けたガード部１０の下面に逆椀状で側壁１１に逆Ｌ字状の溝を有したスロット１２を設けた支持部１５を取り付け、支持部１５に設けたスロット１２に係合する突起１８を有した油受け１９を設け、油受け１９を略半回転以下の回動操作により着脱せしめることにより油受け１９を簡単に着脱できるレンジフードが得られる。【選択図】  図１
2005134071.tif 000002
【特許請求の範囲】
【請求項１】
下面に吸込口を形成し、内部にファンモータを設けた本体と、この本体の吸込口周辺部に一端側を支持した複数のガード線を略逆円錐状に配設し、他端側にハブを設けたガード部と、このガード部の下方に設けられる逆椀状で側壁に略逆Ｌ字状の溝を有したスロットを設けた支持部と、この支持部に設けたスロットに係合する突起を有した椀状の油受けとを備え、前記油受けを略半回転以下の回動操作により着脱せしめる構成としたレンジフード。
【請求項２】
下面に吸込口を形成し、内部にファンモータを設けた本体と、この本体の吸込口周辺部に一端側を支持した複数のガード線を略逆円錐状に配設し、他端側にハブを設けたガード部と、このガード部の下方に設けられる逆椀状で側壁に略逆Ｌ字状の溝を有したスロットを設けた支持部と、この支持部に設けたスロットに係合する突起を有した椀状の油受けとを備え、前記スロットは前記支持部の側壁の周方向に少なくとも２個配設する構成としたレンジフード。
【請求項３】
スロットの奥部に、油受けに設けた突起が受け止められ係止される保持部を設けた請求項１または２記載のレンジフード。
【請求項４】
ガード部のハブに取り付けられる支持部を回り止め手段を介して回動不能に設けた請求項１、２、または３記載のレンジフード。
【発明の詳細な説明】
【技術分野】
【０００１】
本発明は、レンジから発生する油煙を排出するときに捕集される油滴を溜める油受けの着脱を容易にしたレンジフードに関する。
【背景技術】
【０００２】
従来、この種のレンジフードは、油受け皿を手ネジにより取り付けるものが知られている（例えば、特許文献１参照）。
【０００３】
以下、そのレンジフードについて図６および図７を参照しながら説明する。
【０００４】
図に示すように、下面に吸込口１０１を設けたフード１０２内にファンケーシング１０３と遠心力ファン１０４を設け、ファンケーシング１０３に油の滴下孔１０５を設け、滴下孔１０５に対向して油受け皿１０６を手ネジ１０７を用いて着脱自在に構成していた。
【特許文献１】実開昭５４−１２０８４８号公報（第１図、第２図）
【発明の開示】
【発明が解決しようとする課題】
【０００５】
このような従来のレンジフードでは、油受け皿１０６の取り付けに手ネジ１０７を使用しているため、手ネジ１０７を多数回回動操作して回転させなければ油受け皿１０６が着脱できないという課題があり、簡単な回動操作で油受け皿１０６を着脱できるようにすることが要求されている。
【０００６】
また、油受け皿１０６以外に手ネジ１０７が必要になり、高所で油受け皿１０６を支持しながら手ネジ１０７の操作をしなければならないので、部品点数が増加するとともに油受け皿１０６の着脱に大きな労力を要するという課題があり、大きな労力を必要としないで油受けを着脱できるようにすることが要求されている。
【０００７】
本発明は、このような従来の課題を解決するものであり、取付ネジを用いず油受け自体を大きな労力を要することなく簡単に着脱できるレンジフードを提供することを目的としている。
【課題を解決するための手段】
【０００８】
本発明のレンジフードは上記目的を達成するために、下面に吸込口を形成し、内部にファンモータを設けた本体と、この本体の吸込口周辺部に一端側を支持した複数のガード線を略逆円錐状に配設し、他端側にハブを設けたガード部と、このガード部の下方に設けられる逆椀状で側壁に略逆Ｌ字状の溝を有したスロットを設けた支持部と、この支持部に設けたスロットに係合する突起を有した椀状の油受けとを備え、前記油受けを略半回転以下の回動操作により着脱せしめる構成としたものである。
【０００９】
この手段により、油受けの着脱が簡単にできるレンジフードが得られる。
【００１０】
また他の手段は、下面に吸込口を形成し、内部にファンモータを設けた本体と、この本体の吸込口周辺部に一端側を支持した複数のガード線を略逆円錐状に配設し、他端側にハブを設けたガード部と、このガード部の下方に設けられる逆椀状で側壁に略逆Ｌ字状の溝を有したスロットを設けた支持部と、この支持部に設けたスロットに係合する突起を有した椀状の油受けとを備え、前記スロットは前記支持部の側壁の周方向に少なくとも２個配設する構成としたものである。
【００１１】
この手段により、油受けを少なくとも２箇所で支持することができ、油受けの取付け角度および回動操作が安定して着脱操作が滑らかに行うことができるレンジフードが得られる。
【００１２】
また他の手段は、スロットの奥部に油受けに設けた突起が受け止められ係止される保持部を設けたものである。
【００１３】
この手段により、油受けが確実に保持され、油受けの落下するのが防止できるレンジフードが得られる。
【００１４】
また他の手段は、ガード部のハブに取りつけられる支持部を支持手段を介して回動不能に設けたものである。
【００１５】
この手段により、油受けの着脱操作を安定して行うことができるレンジフードが得られる。
【発明の効果】
【００１６】
本発明によれば、油受けの着脱が簡単にできるレンジフードを提供できる。
【００１７】
また、油受けの着脱操作を安定して滑らかに行うことができるレンジフードを提供できる。
【発明を実施するための最良の形態】
【００１８】
本発明の請求項１記載の発明は、下面に吸込口を形成し、内部にファンモータを設けた本体と、この本体の吸込口周辺部に一端側を支持した複数のガード線を略逆円錐状に配設し、他端側にハブを設けたガード部と、このガード部の下方に設けられる逆椀状で側壁に略逆Ｌ字状の溝を有したスロットを設けた支持部と、この支持部に設けたスロットに係合する突起を有した椀状の油受けとを備え、前記油受けを略半回転以下の回動操作により着脱せしめる構成としたものであり、取付ねじを用いないで油受けの着脱を簡単に行うことができるという作用を有する。
【００１９】
また、請求項２に記載の発明は、下面に吸込口を形成し、内部にファンモータを設けた本体と、この本体の吸込口周辺部に一端側を支持した複数のガード線を略逆円錐状に配設し、他端側にハブを設けたガード部と、このガード部の下方に設けられる逆椀状で側壁に略逆Ｌ字状の溝を有したスロットを設けた支持部と、この支持部に設けたスロットに係合する突起を有した椀状の油受けとを備え、前記スロットは前記支持部の側壁の周方向に少なくとも２個配設する構成としたものであり、油受けを少なくとも２箇所で支持することで、支持部に対する油受けの保持力が周方向に向上して油受けの回動操作および油受けの取り付け角度が安定するという作用を有する。
【００２０】
また、請求項３に記載の発明は、スロットの奥部に油受けに設けた突起が受け止められ係止される保持部を設けたものであり、油受けが確実に保持され油受けの落下するのを防止できるという作用を有する。
【００２１】
また、請求項４に記載の発明は、ガード部のハブに取り付けられる支持部を回り止め手段を介して回動不能に設けたものであり、油受けの着脱操作を安定して行うことができるという作用を有する。
【００２２】
以下、本発明の実施の形態について図面を参照しながら説明する。
【００２３】
（実施の形態１）
図１〜図５に示すように、下面に吸込口１を形成し、内部にファンモータ２を設けてキッチン等の壁面２２に設置された本体３の吸込口１の周辺部分に、一端側を支持した複数のガード線４を略逆円錐状に配設し、他端側に油滴の流通孔５を有し、中央部に取付けねじ６の螺合する螺合孔７を設け、螺合孔７の外方位置に回り止め用孔８を設けたハブ９を設け、ガード部１０を形成し、ガード部１０の下面となるハブ９に取り付けられる逆椀状で側壁１１に略逆Ｌ字状の溝を有したスロット１２を周方向に等間隔に３箇所設け、取付けねじ６の貫通孔１３およびハブ９に設けられた回り止め用孔８に係合する回り止めピン１４を設けて支持部１５を形成し、ハブ９に設けた回り止め用孔８と回り止めピン１４により回り止め手段１６を形成し、椀状でハブ９の径より大きく形成され、内部には支持部１５の外周に篏挿する筒状部１７を有し、筒状部１７には支持部１５に形成されたスロット１２に擢動自在に係合する突起１８をスロット１２と同数かつ同間隔に設けて油受け１９を形成し、支持部１５に形成されたスロット１２の奥部には突起１８が受け止められ係止される凹状の保持部２０を形成し、スロット１２の入口にはテーパ面２１を形成して構成する。
【００２４】
上記構成において、油受け１９を取り付ける時には、ガード部１０に設けたハブ９に回り止め手段１６を介して取付ねじ６により回動不能に取り付けられた支持部１５のスロット１２に油受け１９に形成された突起１８が係合するように支持部１５の外周に筒状部１７を篏挿し、突起１８をスロット１２に沿うように油受け１９を右方向に略半回転以下回動すると、突起１８はスロット１２の奥部に移動し、この状態で油受け１９の回動を停止して手を離すと油受けの自重により油受け１９が下降し突起１８が凹状の保持部２０に係合して油受け１９が取付けられる。
【００２５】
そして、レンジフードが運転されると、レンジ（図示せず）から上昇する油煙がガード部１０を通り吸込口より吸い込まれて屋外に排出される。このとき、油煙に含まれる油がガード部１０のガード線４等に付着することになるが、ガード線４に付着した油は油滴となってガード線４に沿い下降しハブ９上に流れ落ち、ハブ９に設けられた流通孔５より油受け１９内に落下して油適が捕集される。
【００２６】
また、運転中に油受け１９に振動が加わったとしても油受け１９に設けた突起１８がガード部１０に設けた支持部１５のスロット１２の奥部に設けた凹状の保持部２０に係合しているため油受け１９が振動等により回動して支持部１５より抜けて落下するということはない。
【００２７】
次に、油受け１９に溜まった油滴を排出するときには、油受け１９を少し持ち上げ油受け１９に設けた突起１８を支持部１５に設けた保持部２０より離脱し、油受け１９を左方向に略半回転以下回動することによって油受け１９を支持部１５より離脱することができ、油受け１９に溜まった油滴を排出することができる。
【００２８】
なお、本発明の実施の形態１では、油受け１９に筒状部１７を設け、筒状部１７に突起１８を形成したが、筒状部１７に変えて複数の柱状部を設けて突起１８を形成しても同様の作用効果をもたらすことはいうまでもない。
【産業上の利用可能性】
【００２９】
スロットと突起の係合による着脱手段を用い、天井等に取り付けられる換気扇等のグリルを取り付ける用途にも適用できる。
【図面の簡単な説明】
【００３０】
【図１】本発明の実施の形態１のレンジフードの油受けの状態を示す断面図
【図２】同レンジフードの断面図
【図３】同レンジフードのハブの斜視図
【図４】同レンジフードの支持部の斜視図
【図５】同レンジフードの油受けの斜視図
【図６】従来のレンジフードの縦断面図
【図７】同レンジフードの油受け部分を示す断面図
【符号の説明】
【００３１】
１    吸込口
２    ファンモータ
３    本体
４    ガード線
９    ハブ
１０  ガード部
１１  側壁
１２  スロット
１５  支持部
１６  回り止め手段
１８  突起
１９  油受け
２０  保持部
【図１】
2005134071.tif 000003
【図２】
2005134071.tif 000004
【図３】
2005134071.tif 000005
【図４】
2005134071.tif 000006
【図５】
2005134071.tif 000007
【図６】
2005134071.tif 000008
【図７】
2005134071.tif 000009